(57)【要約】【課題】意匠性が低下してしまうのを抑制しつつ、髪ケア効果をより向上させることが可能な髪ケア装置を提供する。【解決手段】髪ケア装置１の電圧供給部７０は、外部に露出する露出面７７ａを有し、ハウジング３に取り付けられる電圧供給部材７７と、電圧供給部材７７に電気的に接続される導電部７８と、を備えている。また、電圧供給部材７７は、可視光透過性を有する可視光透過部８０を備えており、可視光透過部８０は、導電部７８に電気的に接続される可視光透過部側導電部８５を有している。さらに、可視光透過部側導電部８５は、供給対象Ｕが接触する接触面８５ａを有しており、露出面７７ａの少なくとも一部が接触面８５ａとなっている。そして、露出面７７ａよりも内側に、露出面７７ａの全体とオーバーラップする可視光不透過性の遮蔽部９０を有するようにした。【選択図】図６
2017158926.tif 000002
【特許請求の範囲】
【請求項１】
外郭を構成するハウジングと、
供給対象に電圧を供給する電圧供給部と、
を備え、
前記電圧供給部は、外部に露出する露出面を有し、前記ハウジングに取り付けられる電圧供給部材と、前記電圧供給部材に電気的に接続される導電部と、を備えており、
前記電圧供給部材は、可視光透過性を有する可視光透過部を備えており、
前記可視光透過部は、前記導電部に電気的に接続される可視光透過部側導電部を有しており、
前記可視光透過部側導電部は、前記供給対象が接触する接触面を有しており、
前記露出面の少なくとも一部が前記接触面となっており、
前記露出面よりも内側に、前記露出面の全体とオーバーラップする可視光不透過性の遮蔽部を有することを特徴とする髪ケア装置。
【請求項２】
前記遮蔽部は、前記導電部における前記露出面とのオーバーラップ部位と前記可視光透過部との間に位置することを特徴とする請求項１に記載の髪ケア装置。
【請求項３】
前記遮蔽部が絶縁部を有しており、
前記可視光透過部側導電部と前記導電部とが前記絶縁部を介さずに電気的に接続されていることを特徴とする請求項１または請求項２に記載の髪ケア装置。
【請求項４】
前記遮蔽部が前記ハウジングから突出する内壁であることを特徴とする請求項３に記載の髪ケア装置。
【請求項５】
前記導電部から前記接触面に至る導電経路は、前記内壁を迂回する迂回路を有することを特徴とする請求項４に記載の髪ケア装置。
【請求項６】
前記遮蔽部が遮蔽部側導電部を有していることを特徴とする請求項１〜５のうちいずれか１項に記載の髪ケア装置。
【請求項７】
前記可視光透過部側導電部と前記導電部とが前記遮蔽部側導電部を介して電気的に接続されていることを特徴とする請求項６に記載の髪ケア装置。
【請求項８】
前記ハウジングが把持部の外郭を構成する把持部側ハウジングを備えており、前記電圧供給部材が前記把持部側ハウジングに形成されていることを特徴とする請求項１〜７のうちいずれか１項に記載の髪ケア装置。
【請求項９】
前記把持部を把持した際に、前記電圧供給部材が前記導電部に押圧されることを特徴とする請求項８に記載の髪ケア装置。
【請求項１０】
前記供給対象に荷電粒子を供給する荷電粒子供給部をさらに備えることを特徴とする請求項１〜９のうちいずれか１項に記載の髪ケア装置。
【請求項１１】
前記荷電粒子供給部は前記荷電粒子を含む帯電微粒子水を放出することを特徴とする請求項１０に記載の髪ケア装置。
【請求項１２】
前記髪ケア装置は、ドライヤー、ヘアーアイロン、または、ヘアブラシであることを特徴とする請求項１〜１１のうちいずれか１項に記載の髪ケア装置。
【発明の詳細な説明】
【技術分野】
【０００１】
本発明は、髪ケア装置に関する。
【背景技術】
【０００２】
従来、髪ケア装置として、特許文献１や特許文献２に開示されているように、使用者等の供給対象に電圧を供給する電圧供給部を設け、供給対象を所望の帯電状態とすることで、髪ケア効果の向上を図れるようにしたものが知られている。
【０００３】
この特許文献１や特許文献２では、電圧供給部が、髪ケア装置の外郭を構成するハウジングに設けられる電圧供給パネルを備えており、この電圧供給パネルに供給対象の少なくとも一部を接触させることで、供給対象に電圧が供給されるようにしている。
【先行技術文献】
【特許文献】
【０００４】
【特許文献１】特開２００３−２７５０１６号公報
【特許文献２】特開２０１１−００５１４９号公報
【発明の概要】
【発明が解決しようとする課題】
【０００５】
ところで、ハウジングに電圧供給パネルを設ける場合、特許文献２に開示されているように、意匠性の向上を図る等の理由により、電圧供給パネルの表面に塗装を施したりすることで最外層を絶縁性材料で構成するのが一般的である。そのため、供給対象は、絶縁性材料を介して電圧供給パネルに接触することとなる。
【０００６】
このように、供給対象と電圧供給パネルとの間に絶縁性材料を介在させると、供給対象に電圧を供給させる際の導電性が低下してしまうため、髪ケア効果をより高められるようにするのが難しかった。
【０００７】
本発明は、上記従来の課題を解決するもので、意匠性が低下してしまうのを抑制しつつ、髪ケア効果をより向上させることが可能な髪ケア装置を提供することを目的とする。
【課題を解決するための手段】
【０００８】
上記従来の課題を解決するために、本発明の髪ケア装置は、外郭を構成するハウジングと、供給対象に電圧を供給する電圧供給部と、を備えている。
【０００９】
また、前記電圧供給部は、外部に露出する露出面を有し、前記ハウジングに取り付けられる電圧供給部材と、前記電圧供給部材に電気的に接続される導電部と、を備えている。
【００１０】
また、前記電圧供給部材は、可視光透過性を有する可視光透過部を備えており、前記可視光透過部は、前記導電部に電気的に接続される可視光透過部側導電部を有している。
【００１１】
また、前記可視光透過部側導電部は、前記供給対象が接触する接触面を有しており、前記露出面の少なくとも一部が前記接触面となっている。
【００１２】
そして、髪ケア装置は、前記露出面よりも内側に、前記露出面の全体とオーバーラップする可視光不透過性の遮蔽部を有している。
【発明の効果】
【００１３】
本発明の髪ケア装置によれば、意匠性が低下してしまうのを抑制しつつ、髪ケア効果をより向上させることが可能な髪ケア装置を得ることができる。
【図面の簡単な説明】
【００１４】
【図１】本発明の実施の形態にかかる髪ケア装置の側面図である。
【図２】本発明の実施の形態にかかる髪ケア装置の正面図である。
【図３】本発明の実施の形態にかかる髪ケア装置の断面図である。
【図４】本発明の実施の形態にかかる髪ケア装置の本体部内で金属微粒子生成部とミスト生成部が設けられる部分を示す平面図である。
【図５】図１のＡ−Ａ断面図である。
【図６】本発明の実施の形態にかかる電圧供給パネルの取り付け状態を示す断面図である。
【図７】本発明の実施の形態にかかる把持部を電圧供給パネル側から視た図である。
【図８】本発明の実施の形態にかかる把持部の分解斜視図である。
【図９】本発明の実施の形態にかかる電圧供給部が備える電圧供給回路を示す回路図である。
【図１０】本発明の実施の形態にかかる把持部の変形例を示す断面図である。
【図１１】本発明の実施の形態にかかる把持部の他の変形例を示す断面図である。
【図１２】本発明の実施の形態の変形例にかかる髪ケア装置を示す側面図である。
【図１３】本発明の実施の形態の他の変形例にかかる髪ケア装置を示す側面図である。
【発明を実施するための形態】
【００１５】
本発明の実施の形態にかかる髪ケア装置は、外郭を構成するハウジングと、供給対象に電圧を供給する電圧供給部と、を備えている。
【００１６】
また、前記電圧供給部は、外部に露出する露出面を有し、前記ハウジングに取り付けられる電圧供給部材と、前記電圧供給部材に電気的に接続される導電部と、を備えている。
【００１７】
また、前記電圧供給部材は、可視光透過性を有する可視光透過部を備えており、前記可視光透過部は、前記導電部に電気的に接続される可視光透過部側導電部を有している。
【００１８】
また、前記可視光透過部側導電部は、前記供給対象が接触する接触面を有しており、前記露出面の少なくとも一部が前記接触面となっている。
【００１９】
そして、髪ケア装置は、前記露出面よりも内側に、前記露出面の全体とオーバーラップする可視光不透過性の遮蔽部を有している。
【００２０】
このように、可視光透過部を備える電圧供給部材の露出面の裏側に、当該露出面の全体とオーバーラップする領域を覆う可視光不透過性の遮蔽部を有するようにすることで、意匠性が低下してしまうのを抑制することができる。
【００２１】
さらに、露出面の少なくとも一部を可視光透過部側導電部の接触面とすることで、絶縁部を介さずに供給対象を電圧供給部材に接触させることができるため、供給対象に電圧を供給させる際の導電性が低下してしまうのを抑制することができる。
【００２２】
したがって、本実施の形態にかかる髪ケア装置によれば、意匠性が低下してしまうのを抑制しつつ、髪ケア効果をより向上させることが可能となる。
【００２３】
また、前記遮蔽部は、前記導電部における前記露出面とのオーバーラップ部位と前記可視光透過部との間に位置している。
【００２４】
こうすれば、露出面とオーバーラップする領域を有効活用しつつ、意匠性が低下してしまうのを抑制することができるようになる。
【００２５】
また、前記遮蔽部が絶縁部を有しており、前記可視光透過部側導電部と前記導電部とが前記絶縁部を介さずに電気的に接続されている。
【００２６】
こうすれば、供給対象に電圧を供給させる際の導電性が低下してしまうのをより確実に抑制することができる。
【００２７】
また、前記遮蔽部が前記ハウジングから突出する内壁である。
【００２８】
こうすれば、遮蔽部を別途設ける必要がなくなり、より簡素な構成とすることができる上、より容易に組み立てることが可能となる。
【００２９】
また、前記導電部から前記接触面に至る導電経路は、前記内壁を迂回する迂回路を有する。
【００３０】
こうすれば、構成の簡素化を図りつつ、導電部から接触面に至る導電経路の途中に絶縁部が介在してしまうのをより確実に抑制することができるようになる。
【００３１】
また、前記遮蔽部が遮蔽部側導電部を有している。
【００３２】
こうすれば、導電部から接触面に至る導電経路の途中に絶縁部が介在してしまうのをより確実に抑制することができるようになる。
【００３３】
また、前記可視光透過部側導電部と前記導電部とが前記遮蔽部側導電部を介して電気的に接続されている。
【００３４】
こうすれば、可視光透過部側導電部と導電部とを電気的に接続させる際に遮蔽部を迂回させる必要がなくなり、構成のより一層の簡素化を図ることが可能となる。
【００３５】
また、前記ハウジングが把持部の外郭を構成する把持部側ハウジングを備えており、前記電圧供給部材が前記把持部側ハウジングに形成されている。
【００３６】
こうすることで、通常の使用状態で供給対象に電圧を供給することができるようになるため、髪ケア装置の使い勝手を向上させることが可能となる。
【００３７】
また、前記把持部を把持した際に、前記電圧供給部材が前記導電部に押圧されるようにしている。
【００３８】
こうすれば、髪ケア装置の使用時における電圧供給部材と導電部との電気的接続をより確実に確保することができ、より確実に供給対象に電圧を供給させることができるようになる。
【００３９】
また、前記供給対象に荷電粒子を供給する荷電粒子供給部をさらに備えている。
【００４０】
こうすれば、髪ケア効果をより向上させることが可能となる。
【００４１】
また、前記荷電粒子供給部が前記荷電粒子を含む帯電微粒子水を放出するようにしている。
【００４２】
こうすれば、より多くの水分を髪に付着させることができ、髪ケア効果のより一層の向上を図ることが可能となる。
【００４３】
そして、上記構成は、髪ケア装置としてのドライヤー、ヘアーアイロン、または、ヘアブラシに適用することができる。
【００４４】
以下、本発明の実施の形態について、図面を参照しながら説明する。なお、この実施の形態によって本発明が限定されるものではない。
【００４５】
（実施の形態）
本実施の形態にかかる髪ケア装置としてのドライヤー１は、使用者（供給対象）Ｕが手で握る部分としての把持部１ａと、把持部１ａと交差する方向に結合された本体部１ｂとを備えている。そして、使用時には把持部１ａと本体部１ｂとで略Ｔ字状あるいは略Ｌ字状（本実施の形態では略Ｔ字状）の外観を呈するように折り畳み可能に構成されている。
【００４６】
把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００４７】
ドライヤー１の外郭を構成するハウジング３は、複数の分割体を継ぎ合わせて構成されている。ハウジング３の内部には空洞が形成されており、この空洞内に、各種電気部品が収容されている。
【００４８】
本体部１ｂの内部には、その長手方向（図３の左右方向）の一方側（右側）の入口開口（吸入口）４ａから出口開口（吐出口）４ｂに至る風洞（送風流路）４が形成されており、この風洞（送風流路）４内に収容されたファン５を回転させることによって空気流Ｗ１が形成される。すなわち、空気流Ｗ１は、外部から入口開口４ａを介して風洞（送風流路）４内に流入し、当該風洞（送風流路）４内を通って出口開口４ｂから外部に排出される。
【００４９】
入口開口（吸入口）４ａは、網目状の枠体１０で覆われている。網目状の枠体１０の開口部の形状は、例えばハニカム形状とすることができる。こうすれば、開口部を画成する桟部の強度を均等に確保させつつ入口開口（吸入口）４ａの総開口面積を大きくとることができ、風量の増大を図ることができるようになる。
【００５０】
また、枠体１０には、図３に示すように、開口率が５５〜９０パーセント程度であって、３００〜６５０ｎｍ程度の網目幅のメッシュ１１が一体成形されている。このメッシュ１１は、例えば金属やポリエステルなどの難燃性樹脂を用いることができ、このように網目幅の細かいメッシュ１１を一体成形することで、細かい埃や毛髪などが空気流路内に入ってしまうのをより確実に抑制できるようにしている。
【００５１】
また、本体部１ｂにおいて、ハウジング３の外筒３ａの内部には、略円筒状の内筒６が設けられており、空気流Ｗ１はこの内筒６の内側を流れるようになっている。内筒６の内側では、最も上流側にファン５が配置され、その下流側にファン５を駆動するモータ７が配置され、モータ７のさらに下流側に加熱機構としてのヒータ８が配置されている。
【００５２】
ヒータ８を作動させたときには、出口開口４ｂから温風が吹き出されることになる。なお、本実施の形態では、ヒータ８は、帯状かつ波板状の電気抵抗体を内筒６の内周に沿って巻回して配置したものとして構成されているが、かかる構成には限定されない。
【００５３】
そして、本体部１ｂ内で、ハウジング３と内筒６との間に形成された空洞９に、２つ（複数）の金属微粒子生成部（イオン発生部：荷電粒子供給部）３０，４０や、ミスト生成部（イオン発生部：荷電粒子供給部）５０、ミスト生成部５０に電圧を印加する電圧印加回路１２等が収容されている。また、空洞９の電圧印加回路１２が収容された部位とは別の部位には、金属微粒子生成部３０，４０に電圧を印加する電圧印加回路（図示せず）が収容されている。
【００５４】
電圧印加回路１２および金属微粒子生成部３０，４０に電圧を印加する電圧印加回路（図示せず）は、把持部１ａ内、または本体部１ｂ内で把持部１ａの延長線上となる領域に配置するのが好適である。使用者（供給対象）Ｕが把持部１ａを持ったときに、電圧印加回路１２および電圧印加回路（図示せず）の質量に起因する回転モーメントを小さくして、使用者（供給対象）Ｕの手に作用する負荷を小さくするためである。
【００５５】
また、これら電圧印加回路１２および電圧印加回路（図示せず）を、内筒６を挟んで相互に反対側となる位置に配置するのが好適である。こうすれば、電圧印加回路１２と電圧印加回路（図示せず）との相互干渉による電圧の低下や不安定化等の不具合を抑制することができる。
【００５６】
さらに、本実施の形態では、空洞９の側面部分（空洞９の電圧印加回路１２が収容された部位とは別の部位）に、温風と冷風の切り換えや動作モード等を行うスイッチ部（図示せず）が収容されている。
【００５７】
また、把持部１ａの先端部１ｄ内の空洞には、電源のＯＮとＯＦＦとの切り換え等を行う別のスイッチ部１６が収容されている。これら電気部品同士は、金属導体等からなる芯線を絶縁性樹脂等で被覆したリード線１７によって接続されている。
【００５８】
なお、金属微粒子生成部３０に繋がるリード線１７、金属微粒子生成部４０に繋がるリード線１７およびミスト生成部５０に繋がるリード線１７は、相互に交叉させることなく極力離間させて配索するのが好適である。それぞれのリード線１７を流れる電流の相互干渉によって、金属微粒子生成部３０，４０あるいはミスト生成部５０で所望の電圧が得られなくなったり、電圧が不安定になったりするのを抑制するためである。
【００５９】
スイッチ部１６は、ハウジング３の表面に露出した操作子１８を操作することで、内部接点の開閉状態を切り換えることができるように構成されている。そして、操作子１８を上下方向にスライドさせることで、内部接点の開閉状態を多段階に切り換えることができるようにしている。
【００６０】
具体的には、電源オフ、弱風、中風、強風の４つのモードに切り換えることが可能となっており、操作子１８を最下部に位置させた状態が電源オフとなっている。そして、操作子１８を最下部から一段階上方にスライドさせると、電源オン状態となって、弱風が送風されるようになる。さらに、操作子１８を一段階上方にスライドさせると、中風が送風され、操作子１８を最上部までスライドさせると、強風が送風されるようになっている。
【００６１】
一方、温風と冷風の切り換えや動作モード等を行うスイッチ部（図示せず）は、ハウジング３の表面に形成した操作子１９を操作する（撓ませる）ことで、内部接点の開閉状態を切り換えることができるように構成されている。そして、操作子１９の上方には、現在選択されているモードを表示する表示部１４が形成されている。
【００６２】
これらのスイッチ部や表示部１４などは、図示せぬ制御基板上のマイコンと電気的に接続されている。
【００６３】
内筒６は、筒状部６ａと、筒状部６ａから径方向外側に向けて伸びて周方向に分散して配置された複数の支持リブ６ｂ（図３では一箇所のみ図示）と、支持リブ６ｂを介して筒状部６ａに接続され当該筒状部６ａの軸方向と略直交する方向に張り出すフランジ部６ｃと、を有している。
【００６４】
筒状部６ａとフランジ部６ｃとの間には間隙ｇ１が形成されており、この間隙ｇ１を介して空洞９内に空気流Ｗ１の一部が分岐されて流入し、分岐流Ｗ２が形成されている。なお、分岐流Ｗ２の空洞９内への導入口となる間隙ｇ１は、ファン５の下流でありかつヒータ８の上流側となる位置に設けられている。したがって、分岐流Ｗ２は、ヒータ８によって加熱される前の、比較的冷たい空気流となる。
【００６５】
そして、分岐流Ｗ２の一部はさらに分岐されて分岐流Ｗ３となっている。この分岐流Ｗ３は、後述する金属微粒子吹出口（イオン放出口）２０ａ，２０ｂやミスト吹出口（イオン放出口）２０ｃを通過せず、内筒６とハウジング３との間を通って出口開口４ｂの外周部分から吹き出す比較的冷たい空気流となっている。
【００６６】
ハウジング３には、空洞９の出口開口４ｂ側となる位置に、楕円形の貫通孔（開口）３ｂが形成されており、この貫通孔（開口）３ｂを絶縁性の合成樹脂材料からなるカバー２０で塞いである。
【００６７】
このように、本実施の形態では、カバー２０は、ハウジング３に形成された貫通孔（開口）３ｂを覆うようにして当該ハウジング３に取り付けられている。また、本実施の形態では、カバー２０は、ハウジング３に対して図３の左側から右側に移動させることで、ハウジング３に取り付けられている。したがって、本実施の形態では、風洞（送風流路）４の下流側から上流側への方向が、カバー２０のハウジング３への取り付け方向となっている。
【００６８】
また、カバー２０には、金属微粒子吹出口（イオン放出口）２０ａ，２０ｂとミスト吹出口（イオン放出口）２０ｃとがそれぞれ独立して形成されている。
【００６９】
なお、ミスト生成部（イオン発生部：荷電粒子供給部）５０および金属微粒子生成部（イオン発生部：荷電粒子供給部）３０，４０の前方には、イオンが流れるイオン流路４ｃが形成されることとなるため、金属微粒子吹出口（イオン放出口）２０ａ，２０ｂおよびミスト吹出口（イオン放出口）２０ｃは、イオン流路４ｃの下流側に設けられることとなる。
【００７０】
また、カバー２０は、金属微粒子あるいはミストによる帯電を抑制するため、ハウジング３よりも導電性を低くするのが好適である。カバー２０が帯電すると、その電荷によって、金属微粒子生成部３０，４０やミスト生成部５０から電荷を帯びた金属微粒子およびマイナスイオンやミストが放出されにくくなるからである。
【００７１】
カバー２０の帯電を抑制するためには、帯電を起こしにくい材料、例えば、ＰＣ（ポリカーボネート）樹脂を用いてカバー２０を形成し、カバー２０の材質を帯電を起こしにくい材質とするのが好ましい。なお、この部分では、カバー２０がドライヤー１の外郭を構成している。
【００７２】
また、ミスト生成部（イオン発生部：荷電粒子供給部）５０の電極にカバー２０を当接させることで、カバー２０の除電を行えるようにすることも可能である。
【００７３】
また、本実施の形態では、金属微粒子吹出口２０ａ，２０ｂの孔径を、ミスト吹出口２０ｃの孔径より小さくしてある。すなわち、ミスト吹出口２０ｃを介してのミスト生成部５０のメンテナンスや状態の確認等をより容易に行わせるとともに、金属微粒子吹出口２０ａ，２０ｂを介しての手指や道具等の誤進入を抑制してある。
【００７４】
また、本実施の形態では、ミスト吹出口２０ｃの周辺部２０ｄに、金属微粒子吹出口（イオン放出口）２０ａ，２０ｂを形成している。
【００７５】
具体的には、金属微粒子吹出口２０ａと金属微粒子吹出口２０ｂとを、ミスト吹出口２０ｃが中心となるように並設している。
【００７６】
すなわち、カバー２０には、金属微粒子吹出口２０ａ，２０ｂおよびミスト吹出口２０ｃが、ドライヤー１の幅方向（図３の左右方向）に、金属微粒子吹出口２０ａ、ミスト吹出口２０ｃ、金属微粒子吹出口２０ｂの順に並ぶように形成されている。
【００７７】
このような配置とすることで、マイナスに帯電しているミストが、ミスト吹出口２０ｃの周辺部２０ｄに形成された金属微粒子吹出口（イオン放出口）２０ａ，２０ｂから吹き出されるマイナスイオンによって、外側へ拡散（離散）してしまうのを抑制できるようにしている。
【００７８】
その結果、ミストの直進性が向上してミストが髪に届きやすくなり、髪ケア効果をより高めることができる。
【００７９】
さらに、ミスト吹出口２０ｃの下流側かつ下方に、ミストの吹き出し方向に延在するように壁部２０ｅを設けている。この壁部２０ｅを設けることで、ミスト吹出口２０ｃから吹き出されたミストが下方に拡散（離散）してしまうのを抑制できるようにしている。
【００８０】
また、金属微粒子生成部３０，４０およびミスト生成部５０は、空洞９内でドライヤー１の幅方向（図２の左右方向）に、金属微粒子生成部３０、ミスト生成部５０、金属微粒子生成部４０の順に並列に配置されている。
【００８１】
そして、ミスト生成部５０と、当該ミスト生成部５０と隣り合う金属微粒子生成部（マイナスイオン発生部）３０、４０との間には、遮蔽板（仕切部）６ｄが設けられている。
【００８２】
そして、図４に示すように、遮蔽板６ｄを、ドライヤー１の上下方向およびミストの吹き出し方向（図４の左右方向）に延在するように配置することで、金属微粒子やミストが金属微粒子吹出口２０ａ，２０ｂおよびミスト吹出口２０ｃから吹き出される前に混合してしまうのを抑制している。
【００８３】
金属微粒子生成部３０，４０としては、導電性を有する金属材料によって形成される放電極（第１電極）および放電対向電極（第２電極）をそれぞれ有する金属微粒子生成装置等、従来公知のものを用いることができる。
【００８４】
また、ミスト生成部５０としても、従来公知のものを用いることができる。例えば、ペルチェ素子によって冷却された冷却板の表面に空気中の水分を結露させることで結露水を生じさせ、当該結露水を放電作用によって微粒化させることで、ナノメータサイズの非常に細かいミスト（マイナスイオンを含むマイナスに帯電されたミスト）を生成する静電霧化装置を用いることができる。
【００８５】
本実施の形態では、このミスト生成部（イオン発生部）５０を、ミスト（荷電粒子を含む帯電微粒子水）を放出する荷電粒子供給部としている。
【００８６】
さらに、本実施の形態では、使用者（供給対象）Ｕに電圧を供給する電圧供給部７０を設けることで、生成された荷電微粒子の髪への付着量の低下を抑制できるようにしている。
【００８７】
具体的には、電圧供給部７０が、複数の電気的素子により構成される電圧供給回路７１と、電圧供給回路７１により出力される電圧を使用者（供給対象）Ｕに供給する電圧供給パネル（電圧供給部材）７７と、を備えるようにしている。
【００８８】
なお、電圧供給回路７１は、例えば、図９に示すような回路とすることができる。すなわち、電圧供給回路７１を、商用電源７６から供給される電流を双方向に流すことが可能なスイッチング素子であるスイッチ７２と、スイッチ７２と直列に接続されるコンデンサ７３と、複数の抵抗と、を含む構成とすることができる。
【００８９】
この図９に示す電圧供給回路７１では、商用電源７６とスイッチ７２との間に配置される第１の抵抗７４と、コンデンサ７３と電圧供給パネル７７との間に配置される第２の抵抗７５と、を含む複数の抵抗が用いられている。
【００９０】
なお、スイッチ７２は、例えば、フォトＭＯＳ（Metal Oxide Semiconductor）リレーにより構成され、図示せぬ制御部によってオン・オフが切り替えられるものとすることができる。
【００９１】
一方、電圧供給パネル（電圧供給部材）７７は、把持部１ａの外郭を構成する把持部側ハウジング６０（ハウジング３）に取り付けられている。このとき、電圧供給パネル（電圧供給部材）７７の表面が把持部１ａの外表面に露出するようにしている。すなわち、電圧供給パネル（電圧供給部材）７７を把持部側ハウジング６０（ハウジング３）に取り付けた際に、外部に露出する露出面７７ａが形成されるようにしている。
【００９２】
さらに、本実施の形態では、電圧供給パネル（電圧供給部材）７７が可視光透過性を有する可視光透過部８０を備えるようにするとともに、可視光透過部８０に導電性を有する可視光透過部側導電部８５が形成されるようにしている。
【００９３】
可視光透過部側導電部８５は、上述した電圧供給回路７１の一部を構成する導電部７８に電気的に接続されており、この可視光透過部側導電部８５には、使用者（供給対象）Ｕが直接接触（絶縁部を介さずに接触）する接触面８５ａが形成されている。そして、この接触面８５ａが露出面７７ａの少なくとも一部を構成するようにしている。
【００９４】
こうすることで、ドライヤー１の通常の使用時に使用者（供給対象）Ｕが把持部１ａを把持した際に、使用者（供給対象）Ｕの手のひら等が接触面８５ａに直接接触（絶縁部を介さずに接触）することとなる。そして、かかる状態で、電圧供給回路７１により出力される電圧が可視光透過部側導電部８５から使用者（供給対象）Ｕに供給されるようにしている。
【００９５】
このとき、使用者（供給対象）Ｕがミスト生成部５０で発生するイオンの電荷の反対極に帯電するように、電圧供給パネル（電圧供給部材）７７から使用者（供給対象）Ｕに電圧を供給させるようにするのが好ましい。このように、使用者（供給対象）Ｕを、荷電粒子供給部から供給される荷電粒子の電荷の反対極に帯電させるようにすれば、生成された荷電微粒子を使用者（供給対象）Ｕの髪に引き寄せることができるようになるため、荷電微粒子の髪への付着量が低下してしまうのを抑制できるようになる。
【００９６】
ここで、本実施の形態では、半透過性を有する材料を用いて半透明の電圧供給パネル（電圧供給部材）７７を形成している。そして、半透明の電圧供給パネル（電圧供給部材）７７が導電性を有するようにしている。このような電圧供給パネル（電圧供給部材）７７は、例えば、ＡＢＳ樹脂、ＰＣ樹脂および親水性ポリマー等の添加剤を混合した材料を用いて形成することができる。また、ＡＢＳ樹脂、ＰＣ樹脂等の樹脂にカーボン繊維や金属微粒子の添加剤を混合した材料を用いて、導電性を有する電圧供給パネル（電圧供給部材）７７を形成することもできる。
【００９７】
ところで、上記材料を用いて形成した電圧供給パネル（電圧供給部材）７７の抵抗値が低いと、外部からの静電気によって内部回路（電圧供給回路７１等の回路）が破損してしまう場合がある。
【００９８】
そのため、例えば、体積抵抗率が１．０×１０６Ω・ｍ以上となる材料を用いて電圧供給パネル（電圧供給部材）７７を形成し、外部からの静電気によって内部回路（電圧供給回路７１等の回路）が破損してしまうのを抑制できるようにするのが好ましい。
【００９９】
このように、本実施の形態では、電圧供給パネル（電圧供給部材）７７の全体が可視光透過部８０となっているとともに、可視光透過部側導電部８５となっている。そして、露出面７７ａの全体が接触面８５ａで構成されている。
【０１００】
また、把持部側ハウジング６０は、複数の分割体を継ぎ合わせることで形成されており、図８に示すように、第１の分割ハウジング６１と第２の分割ハウジング６２とを備えている。
【０１０１】
そして、第１の分割ハウジング６１と第２の分割ハウジング６２とを継ぎ合わせる際に、第１の分割ハウジング６１と第２の分割ハウジング６２との間に電圧供給パネル（電圧供給部材）７７を挟み込むことで、電圧供給パネル（電圧供給部材）７７が把持部側ハウジング６０に取り付けられている。
【０１０２】
具体的には、電圧供給パネル（電圧供給部材）７７は、露出面７７ａ（接触面８５ａ）を有する本体部８１と、本体部８１における露出面７７ａとは反対側の端部（本体部８１の厚さ方向の内側）から外方に向けて突出するフランジ部８２と、を備えている。
【０１０３】
さらに、このフランジ部８２には、本体部８１の厚さ方向の内側から幅方向外側に向けて突出する第１の突起部８３および第２の突起部８４が形成されている。
【０１０４】
そして、第１の分割ハウジング６１と第２の分割ハウジング６２とを継ぎ合わせる際に、第１の突起部８３を第１の分割ハウジング６１に形成された係合部６１ａに係合させるとともに、第２の突起部８４を第２の分割ハウジング６２に形成された係合部６２ａに係合させることで、電圧供給パネル（電圧供給部材）７７が把持部側ハウジング６０に取り付けられるようにしている。
【０１０５】
第１の突起部８３は、フランジ部８２の外側先端に連設されて本体部８１の厚さ方向内側に向けて延設された第１の延設部８３ａと、第１の延設部８３ａの内側先端に連設されて本体部８１の幅方向の外側に向けて延設された第２の延設部８３ｂと、を備えている。
【０１０６】
そして、第１の突起部８３を第１の分割ハウジング６１の係合部６１ａに係合させた際に、第２の延設部８３ｂの裏面８３ｃが第１の分割ハウジング６１に形成された導電部載置リブ６１ｂの表面（載置面）６１ｃに接触するようにしている。
【０１０７】
第２の突起部８４は、本体部８１の厚さ方向の内側から本体部８１の幅方向の外側に向けて延設された突起であり、本体部８１の長手方向に３つ（複数）並ぶように設けられている。
【０１０８】
さらに、本実施の形態では、フランジ部８２の裏面８２ａと本体部８１の裏面８１ａとが面一となるように形成されており、第２の突起部８４の裏面８４ａが、フランジ部８２の裏面８２ａおよび本体部８１の裏面８１ａと面一となるように形成されている。
【０１０９】
そして、上述したように、第１の分割ハウジング６１の内側には、第２の分割ハウジング６２側に突出する導電部載置リブ６１ｂが形成されており、この導電部載置リブ６１ｂの表面（載置面）６１ｃに導電部７８が載置されている。
【０１１０】
本実施の形態では、導電部７８は、リード線７８ａとアルミ箔７８ｂとを備えている。そして、リード線７８ａの先端の被覆部を除去して露出させた芯部をアルミ箔７８ｂで覆った状態で、当該アルミ箔７８ｂを導電部載置リブ６１ｂの表面（載置面）６１ｃに貼り付けることで、導電部７８を導電部載置リブ６１ｂの表面（載置面）６１ｃ上に配置している。
【０１１１】
そして、第１の突起部８３を第１の分割ハウジング６１の係合部６１ａに係合させた際に、第２の延設部８３ｂの裏面８３ｃが、導電部載置リブ６１ｂの表面（載置面）６１ｃに配置されたアルミ箔７８ｂと接触するようにしている。
【０１１２】
したがって、本実施の形態では、第２の延設部８３ｂの裏面８３ｃが、可視光透過部側導電部８５における導電部７８との接触部８５ｂとなっている。そして、第２の延設部８３ｂの裏面８３ｃの導電部７８との接触方向（接触部８５ｂの導電部７８との対向方向）を、本体部８１の厚さ方向に略一致させている。こうすることで、使用者（供給対象）Ｕが把持部１ａを把持した際には、電圧供給パネル（電圧供給部材）７７が本体部８１の厚さ方向内側に押圧されることとなるため、この押圧力によって把持部側電圧供給部材７７を導電部７８に向けて押圧されることとなる。
【０１１３】
なお、導電部載置リブ６１ｂの表面（載置面）６１ｃには複数のリブ６１ｄが形成されており、この複数のリブ６１ｄの間にリード線７８ａを挟み込むことで、リード線７８ａの移動が規制されるようにしている。また、導電部載置リブ６１ｂには切り欠き６１ｅが形成されており、この切り欠き６１ｅにリード線７８ａを挿入させることで、リード線７８ａの一端側を導電部載置リブ６１ｂの内側に回り込ませている。このリード線７８ａの一端側は、電圧供給回路７１を構成する複数の電気的素子に電気的に接続されている。
【０１１４】
ここで、本実施の形態では、第２の延設部８３ｂが本体部８１の裏面８１ａよりも厚さ方向の内側に位置するようにしている。そのため、第１の突起部８３を第１の分割ハウジング６１の係合部６１ａに係合させた状態では、本体部８１の裏面８１ａと導電部載置リブ６１ｂの表面（載置面）６１ｃとの間に空間Ｓ１が形成されることとなる。
【０１１５】
また、本実施の形態では、半透過性の電圧供給パネル（電圧供給部材）７７を用いているため、空間Ｓ１を外方から視認することができる。
【０１１６】
そして、この空間Ｓ１には導電部７８の一部が存在しているため、このままでは、導電部７８の一部（導電部７８における露出面７７ａと厚さ方向でオーバーラップする部分）が外方から見えてしまい、見栄えが悪化してしまうおそれがある。
【０１１７】
そこで、本実施の形態では、露出面７７ａよりも内側に、露出面７７ａの全体と本体部８１の厚さ方向でオーバーラップする可視光不透過性の遮蔽部９０を設けることで、見栄えが悪化してしまうのを抑制できるようにした。
【０１１８】
具体的には、第２の分割ハウジング６２の内側に、第１の分割ハウジング６１側に突出するリブ（内壁）６２ｂを形成し、このリブ（内壁）６２ｂを遮蔽部９０として機能させることで、導電部７８の一部が外方から視認されないようにしている。
【０１１９】
本実施の形態では、リブ（内壁）６２ｂの表面６２ｃが、第２の突起部８４の裏面８４ａの全体、本体部８１の裏面８１ａの全体およびフランジ部８２の裏面８２ａの全体と対向するように、リブ（内壁）６２ｂを形成している。
【０１２０】
さらに、リブ（内壁）６２ｂは、第１の分割ハウジング６１と第２の分割ハウジング６２とを継ぎ合わせた際に、導電部載置リブ６１ｂよりも上側（露出面７７ａ側：外側）に位置するように形成されており、導電部７８における露出面７７ａとのオーバーラップ部位と本体部８１（可視光透過部８０）との間にリブ（内壁）６２ｂが位置するようにしている。
【０１２１】
また、本実施の形態では、リブ（内壁）６２ｂは、絶縁性材料を用いて形成されており、リブ（内壁）６２ｂの全体（遮蔽部９０の全体）が絶縁部９１となっている。
【０１２２】
そして、可視光透過部側導電部８５と導電部７８とが絶縁部９１を介さずに電気的に接続されるようにしている。
【０１２３】
本実施の形態では、導電部７８における露出面７７ａと本体部８１の厚さ方向でオーバーラップしていない部位に可視光透過部側導電部８５の接触部８５ｂを直接接触させることで、導電部７８から接触面８５ａに至る導電経路８６の途中に絶縁部９１が介在しないようにしている。
【０１２４】
なお、このとき形成される導電経路８６は、リブ（内壁）６２ｂを迂回する迂回路８６ａを有している。
【０１２５】
このように、本実施の形態では、本体部８１の厚さ方向から視た際にリブ（内壁）６２ｂから外れる領域で、可視光透過部側導電部８５の接触部８５ｂと導電部７８とを接触させることで、導電部７８と本体部８１（可視光透過部８０）との間に絶縁部９１が存在していたとしても、途中に絶縁部９１を介在させない導電経路８６が形成されるようにしている。
【０１２６】
このとき、露出面７７ａから導電部７８までの間の沿面距離が短いと、外部からの静電気によって内部回路（電圧供給回路７１等の回路）が破損してしまう場合がある。
【０１２７】
そのため、露出面７７ａから導電部７８までの最端縁面距離が例えば５ｍｍ以上となるように、電圧供給パネル（電圧供給部材）７７および導電部７８を配置することで、外部からの静電気によって内部回路（電圧供給回路７１等の回路）が破損してしまうのを抑制できるようにするのが好ましい。
【０１２８】
このような構成をした把持部１ａは、例えば、下記の方法により組み立てることができる。
【０１２９】
まず、リード線７８ａの先端の被覆部を除去して露出させた芯部をアルミ箔７８ｂで覆った状態で、当該アルミ箔７８ｂを導電部載置リブ６１ｂの表面（載置面）６１ｃに貼り付けることで、導電部７８を導電部載置リブ６１ｂの表面（載置面）６１ｃ上に配置する。このとき、導電部載置リブ６１ｂの表面（載置面）６１ｃ上のリブ６１ｄの間にリード線７８ａを挟み込むとともに、切り欠き６１ｅにリード線７８ａを挿入して、リード線７８ａの一端側が導電部載置リブ６１ｂの内側に回り込むようにする。
【０１３０】
そして、第１の突起部８３を第１の分割ハウジング６１の係合部６１ａに係合させることで、可視光透過部側導電部８５の接触部８５ｂ（第２の延設部８３ｂの裏面８３ｃ）をアルミ箔７８ｂに接触させつつ、電圧供給パネル（電圧供給部材）７７を第１の分割ハウジング６１に取り付ける。
【０１３１】
その後、第２の分割ハウジング６２のリブ（内壁）６２ｂを、空間Ｓ１における導電部７８よりも露出面７７ａ側に挿入させつつ、第２の突起部８４を第２の分割ハウジング６２に形成された係合部６２ａに係合させて、第１の分割ハウジング６１と第２の分割ハウジング６２とを継ぎ合わせる。なお、本実施の形態では、第２の分割ハウジング６２には位置決めリブ６２ｄが形成されており、第１の分割ハウジング６１と第２の分割ハウジング６２とを継ぎ合わせた際に、この位置決めリブ６２ｄの先端に導電部載置リブ６１ｂの先端が係合するようになっている。
【０１３２】
こうして、電圧供給パネル（電圧供給部材）７７の露出面７７ａ（接触面８５ａ）が外部に露出した把持部１ａが形成される。
【０１３３】
なお、電圧供給パネル（電圧供給部材）７７と導電部７８との接続は、上記の構成に限られるものではなく、様々な構成とすることが可能である。
【０１３４】
例えば、図１０に示すように、第２の分割ハウジング６２のリブ（内壁）６２ｂを第１の延設部８３ａ側まで延設させないようにすることも可能である。
【０１３５】
この図１０では、フランジ部８２の裏面８２ａ、本体部８１の裏面８１ａおよび第２の突起部８４の裏面８４ａに塗装を施す等により、絶縁性を有する不透明の被膜１００を形成し、この被膜１００をリブ（内壁）６２ｂの替わりに遮蔽部９０として機能させるようにしている。すなわち、この図１０では、被膜１００の全体が絶縁部９１となっている。
【０１３６】
この図１０においても、電圧供給パネル（電圧供給部材）７７の全体が半透明の可視光透過部８０となっているとともに、可視光透過部側導電部８５となっている。そして、可視光透過部側導電部８５に形成された接触面８５ａが、露出面７７ａの全体（少なくとも一部）を構成するようになっている。
【０１３７】
また、図１０においても、導電部７８から接触面８５ａに至る導電経路８６が被膜１００（絶縁部９１）を迂回する迂回路８６ａを有するようにしており、導電経路８６の途中に絶縁部９１が介在しないようにしている。
【０１３８】
なお、被膜１００（絶縁部９１）は、電圧供給パネル（電圧供給部材）７７の裏面において、露出面７７ａの全体と本体部８１の厚さ方向でオーバーラップする領域に設けられていればよい。したがって、フランジ部８２の裏面８２ａや第２の突起部８４の裏面８４ａに被膜１００を設けないようにすることもできる。
【０１３９】
なお、上記実施の形態および図１０では、電圧供給パネル（電圧供給部材）７７の全体を半透明の可視光透過部８０とする必要はない。
【０１４０】
例えば、図１１に示すように、電圧供給パネル（電圧供給部材）７７に可視光透過部８０および遮蔽部９０が形成されるようにすることができる。
【０１４１】
この図１１では、電圧供給パネル（電圧供給部材）７７の外側（露出面７７ａ側）が導電性を有する可視光透過部８０となっており、電圧供給パネル（電圧供給部材）７７の内側（導電部７８側）が導電性を有する遮蔽部９０となっている。
【０１４２】
すなわち、可視光透過部８０の全体が可視光透過部側導電部８５となっており、遮蔽部９０の全体が遮蔽部側導電部９２となっている。
【０１４３】
このような電圧供給パネル（電圧供給部材）７７は、例えば、材質の異なる材料を用いて二色成形を行うことで一体に形成することができる。
【０１４４】
そして、導電部７８は、板金ばね１１０を介して電圧供給パネル（電圧供給部材）７７の裏面（遮蔽部側導電部９２の裏面９２ａ）に電気的に接続されている。
【０１４５】
このように、図１１では、遮蔽部９０が遮蔽部側導電部９２を有しており、可視光透過部側導電部８５と導電部７８とが遮蔽部側導電部９２を介して電気的に接続されている。
【０１４６】
こうすれば、導電部７８から接触面８５ａに至る導電経路８６を迂回させることなく、導電経路８６の途中に絶縁部９１を介在させないようにすることができる。
【０１４７】
なお、図１１においても、遮蔽部９０は、電圧供給パネル（電圧供給部材）７７の裏面において、露出面７７ａの全体と本体部８１の厚さ方向でオーバーラップする領域に設けられていればよい。
【０１４８】
以上、説明したように、本実施の形態にかかるドライヤー（髪ケア装置）１は、外郭を構成するハウジング３と、使用者（供給対象）Ｕに電圧を供給する電圧供給部７０と、を備えている。
【０１４９】
また、電圧供給部７０は、外部に露出する露出面７７ａを有し、ハウジング３に取り付けられる電圧供給パネル（電圧供給部材）７７と、電圧供給パネル（電圧供給部材）７７に電気的に接続される導電部７８と、を備えている。
【０１５０】
また、電圧供給パネル（電圧供給部材）７７は、可視光透過性を有する可視光透過部８０を備えており、可視光透過部８０は、導電部７８に電気的に接続される可視光透過部側導電部８５を有している。
【０１５１】
また、可視光透過部側導電部８５は、使用者（供給対象）Ｕが接触する接触面８５ａを有しており、露出面７７ａの少なくとも一部が接触面８５ａとなっている。
【０１５２】
そして、ドライヤー（髪ケア装置）１は、露出面７７ａよりも内側に、露出面７７ａの全体とオーバーラップする可視光不透過性の遮蔽部９０を有している。
【０１５３】
このように、可視光透過部８０を備える電圧供給部材７７の露出面７７ａの裏側に、当該露出面７７ａの全体とオーバーラップする領域を覆う可視光不透過性の遮蔽部９０を有するようにすることで、意匠性が低下してしまうのを抑制することができる。
【０１５４】
さらに、露出面７７ａの少なくとも一部を可視光透過部側導電部８５の接触面８５ａとすることで、絶縁部９１を介さずに使用者（供給対象）Ｕを電圧供給部材７７に接触させることができるため、使用者（供給対象）Ｕに電圧を供給させる際の導電性が低下してしまうのを抑制することができる。
【０１５５】
したがって、本実施の形態にかかるドライヤー（髪ケア装置）１によれば、意匠性が低下してしまうのを抑制しつつ、髪ケア効果をより向上させることが可能となる。
【０１５６】
また、遮蔽部９０を、導電部７８における露出面７７ａとのオーバーラップ部位と可視光透過部８０との間に位置させるようにしてもよい。
【０１５７】
こうすれば、露出面７７ａとオーバーラップする領域を有効活用（導電部７８を配置させる場所として利用）しつつ、意匠性が低下してしまうのを抑制することができるようになる。
【０１５８】
また、遮蔽部９０が絶縁部９１を有しており、可視光透過部側導電部８５と導電部７８とが絶縁部９１を介さずに電気的に接続されるようにしてもよい。
【０１５９】
こうすれば、使用者（供給対象）Ｕに電圧を供給させる際の導電性が低下してしまうのをより確実に抑制することができる。
【０１６０】
また、遮蔽部９０をハウジング３から突出するリブ（内壁）６２ｂで形成することもできる。
【０１６１】
こうすれば、遮蔽部９０を別途設ける必要がなくなり、より簡素な構成とすることができる。また、ハウジング３を組み付けることで遮蔽部９０が設けられるようにすることができるため、より容易に組み立てることが可能となる。
【０１６２】
また、導電部７８から接触面８５ａに至る導電経路８６が、リブ（内壁）６２ｂを迂回する迂回路８６ａを有するようにしてもよい。
【０１６３】
こうすれば、構成の簡素化を図りつつ、導電部７８から接触面８５ａに至る導電経路８６の途中に絶縁部９１が介在してしまうのをより確実に抑制することができるようになる。
【０１６４】
また、遮蔽部９０が遮蔽部側導電部９２を有するようにしてもよい。
【０１６５】
こうすれば、導電部７８から接触面８５ａに至る導電経路８６の途中に絶縁部９１が介在してしまうのをより確実に抑制することができるようになる。
【０１６６】
また、可視光透過部側導電部８５と導電部７８とが遮蔽部側導電部９２を介して電気的に接続されるようにすることも可能である。
【０１６７】
こうすれば、可視光透過部側導電部８５と導電部７８とを電気的に接続させる際に遮蔽部９０を迂回させる必要がなくなり、構成のより一層の簡素化を図ることが可能となる。
【０１６８】
また、ハウジング３としての把持部１ａの外郭を構成する把持部側ハウジング６０に、電圧供給部材７７を形成することも可能である。
【０１６９】
こうすれば、通常の使用状態で使用者（供給対象）Ｕに電圧を供給することができるようになるため、ドライヤー（髪ケア装置）１の使い勝手を向上させることが可能となる。
【０１７０】
また、把持部１ａを把持した際に、電圧供給部材７７が導電部７８に押圧されるようにすることも可能である。
【０１７１】
こうすれば、ドライヤー（髪ケア装置）１の使用時における電圧供給部材７７と導電部７８との電気的接続をより確実に確保することができ、より確実に使用者（供給対象）Ｕに電圧を供給させることができるようになる。
【０１７２】
また、ドライヤー（髪ケア装置）１が、使用者（供給対象）Ｕに荷電粒子を供給する荷電粒子供給部（金属微粒子生成部３０，４０や、ミスト生成部５０）をさらに備えるようにすることも可能である。
【０１７３】
こうすれば、髪ケア効果をより向上させることが可能となる。
【０１７４】
また、荷電粒子供給部が、荷電粒子を含む帯電微粒子水（ミスト）を放出するようにしたミスト生成部５０を有するようにすることも可能である。
【０１７５】
こうすれば、より多くの水分を髪に付着させることができ、髪ケア効果のより一層の向上を図ることが可能となる。
【０１７６】
以上、本発明の好適な実施の形態について説明したが、本発明は上記実施の形態には限定されず、種々の変形が可能である。
【０１７７】
例えば、図１２に示すように、髪ケア装置としてのヘアーアイロン１Ａに本発明を適用することも可能である。このヘアーアイロン１Ａは、少なくとも、荷電粒子供給部（金属微粒子生成部３０，４０や、ミスト生成部５０）、電圧供給部７０および制御部（図示せず）を備えており、把持部１ａＡに電圧供給パネル（電圧供給部材）７７が形成されている。
【０１７８】
また、図１３に示すように、髪ケア装置としてのヘアブラシ１Ｂに本発明を適用することも可能である。このヘアブラシ１Ｂは、少なくとも、荷電粒子供給部（金属微粒子生成部３０，４０や、ミスト生成部５０）、電圧供給部７０および制御部（図示せず）を備えており、把持部１ａＢに電圧供給パネル（電圧供給部材）７７が形成されている。
【０１７９】
また、上記実施の形態では、イオン発生部として、金属微粒子およびマイナスイオンを生成する金属微粒子生成部を例示したが、金属微粒子は生成せず、単にマイナスイオンを生成するものを用いてもよい。
【０１８０】
また、プラスイオンを生成するイオン生成装置にあっても、本発明を適用することができる。このように、プラスイオンを生成すると、ウィッグなどの人工毛をつけた毛髪に使用する場合に有効である。ウィッグなどの人工毛はマイナスに帯電しやすいので、プラスイオンを供給することで、静電気が生じてしまうのを抑制することができるためである。
【０１８１】
また、上記実施の形態では、接触面８５ａの全体が露出面７７ａとなるものを例示したが、露出面７７ａの一部に接触面８５ａが形成されるようにしてもよい。例えば、接触面８５ａの一部に柄や文字等を印刷することで、露出面７７ａの一部に絶縁部が形成されるようにしてもよい。
【０１８２】
また、電圧供給パネル（電圧供給部材）７７の一部に絶縁部９１が形成されるようにすることも可能である。
【０１８３】
また、電圧供給パネル（電圧供給部材）７７の内側に、導電性を有する遮蔽部９０を配置させることも可能である。
【０１８４】
また、上記各実施の形態では、金属微粒子吹出口（イオン放出口）を２つ形成したものを例示したが、金属微粒子吹出口（イオン放出口）を３つ以上形成することも可能である。
【０１８５】
また、上記実施の形態では、分岐流によって、金属微粒子およびミストを吹き出すようにしたものを例示したが、分岐流がない場合でも、金属微粒子およびミストを対応する吹出口から吹き出すことができる。
【０１８６】
また、カバーやハウジング、その他細部のスペック（形状、大きさ、レイアウト等）も適宜に変更可能である。
【産業上の利用可能性】
【０１８７】
本発明によれば、意匠性が低下してしまうのを抑制しつつ、髪ケア効果をより向上させることが可能な髪ケア装置を得ることができる。
【符号の説明】
【０１８８】
１  ドライヤー（髪ケア装置）
１Ａ  ヘアーアイロン（髪ケア装置）
１Ｂ  ヘアブラシ（髪ケア装置）
１ａ  把持部
３  ハウジング
３０  金属微粒子生成部（荷電粒子供給部）
４０  金属微粒子生成部（荷電粒子供給部）
５０  ミスト生成部（荷電粒子供給部）
６０  把持部側ハウジング
７０  電圧供給部
７７  電圧供給パネル（電圧供給部材）
７７ａ  露出面
７８  導電部
８０  可視光透過部
８５  可視光透過部側導電部
８５ａ  接触面
８６  導電経路
８６ａ  迂回路
９０  遮蔽部
９１  絶縁部
９２  遮蔽部側導電部
Ｕ  使用者（供給対象）
【図１】
2017158926.tif 000003
【図２】
2017158926.tif 000004
【図３】
2017158926.tif 000005
【図４】
2017158926.tif 000006
【図５】
2017158926.tif 000007
【図６】
2017158926.tif 000008
【図７】
2017158926.tif 000009
【図８】
2017158926.tif 000010
【図９】
2017158926.tif 000011
【図１０】
2017158926.tif 000012
【図１１】
2017158926.tif 000013
【図１２】
2017158926.tif 000014
【図１３】
2017158926.tif 000015